(57)【要約】【課題】水や石鹸等が付着した状態においても滑りにくい風呂用敷物を提供する。【解決手段】芯材２と、該芯材２の上下に配設したプラスチック発泡板４、５と、このプラスチック発泡板４、５の前記芯材２とは逆側の面の少なくも一方にプラスチック製人工い草１０ａで形成された畳表１０を有し、締結部材３により、前記プラスチック発泡板４、５及び、前記畳表１０を前記芯材２に固定する。【選択図】図２
2008156920.tif 000002
【特許請求の範囲】
【請求項１】
芯材と、該芯材の上下に配設したプラスチック発泡板と、このプラスチック発泡板の前記芯材とは逆側の面の少なくも一方にプラスチック製人工い草で形成された畳表を有し、
締結部材により、前記プラスチック発泡板及び、前記畳表を前記芯材に固定したことを特徴とする風呂用敷物。
【請求項２】
前記プラスチック発泡板の前記畳表側に凹状の溝を形成したことを特徴とする請求項１記載の風呂用敷物。
【請求項３】
前記芯材が耐水加工を施した木製の板材であることを特徴とする請求項１又は２記載の風呂用敷物。
【請求項４】
前記プラスチック発泡板が、ポリスチレン発泡体であることを特徴とする請求項１又は２又は３記載の風呂用敷物。
【請求項５】
前記畳表を、プラスチック発泡板に対して、固着手段を用いて固着するとともに、該固着手段を前記人工い草の方向と直交する方向に配設したことを特徴とする請求項１乃至４のいずれか１項に記載の風呂用敷物。
【請求項６】
前記固着手段として、両面接着テープを用いたことを特徴とする請求項５記載の風呂用敷物。
【発明の詳細な説明】
【技術分野】
【０００１】
本発明は、風呂用敷物に関する。
【背景技術】
【０００２】
従来、風呂用敷物、例えば風呂洗い場に敷くマットとして、塩化ビニール等で形成された長方形のマットが知られている。
【発明の開示】
【発明が解決しようとする課題】
【０００３】
しかし、前記従来の風呂用敷物では、その表面に水や石鹸等が付着した場合に、表面が滑りやすく転倒する虞がある。
【０００４】
そこで、本発明は、水や石鹸等が付着した状態においても滑りにくい風呂用敷物を提供することを目的とするものである。
【課題を解決するための手段】
【０００５】
前記の課題を解決するために、請求項１記載の発明は、芯材と、該芯材の上下に配設したプラスチック発泡板と、このプラスチック発泡板の前記芯材とは逆側の面の少なくも一方にプラスチック製人工い草で形成された畳表を有し、
締結部材により、前記プラスチック発泡板及び、前記畳表を前記芯材に固定したことを特徴とするものである。
【０００６】
請求項２記載の発明は、請求項１記載の発明において、前記プラスチック発泡板の前記畳表側に凹状の溝を形成したことを特徴とするものである。
【０００７】
請求項３記載の発明は、請求項１又は２記載の発明において、前記芯材が耐水加工を施した木製の板材であることを特徴とするものである。
【０００８】
請求項４記載の発明は、請求項１又は２又は３記載の発明において、前記プラスチック発泡板が、ポリスチレン発泡体であることを特徴とするものである。
【０００９】
請求項５記載の発明は、請求項１乃至４のいずれか１項に記載の発明において、前記畳表を、プラスチック発泡板に対して、固着手段を用いて固着するとともに、該固着手段を前記人工い草の方向と直交する方向に配設したことを特徴とするものである。
【００１０】
請求項６記載の発明は、請求項５記載の発明において、前記固着手段として、両面接着テープを用いたことを特徴とするものである。
【発明の効果】
【００１１】
本発明によれば、畳表を上側となるように使用した場合、この畳表が上面に位置することで、風呂用敷物の上面の表面形状が凸凹状となり、畳表上に水や石鹸等が付着した場合においても、足等の滑りを抑制することができる。また、畳様の外観と感触を付与することができ、使用時の感触を向上することができる。
【００１２】
更に、畳表が、プラスチック製人工い草で形成されているので、畳表は耐水性を有する。
【００１３】
また、芯材を有することにより、締結部材により、特別な締結機械を用いることなく、他の部材を芯材に対して容易に固着することができ、風呂用敷物の製造が容易となる。
【００１４】
また、請求項２記載の発明によれば、更に、凹状の溝を形成したことにより、畳表を通過した水を容易に排出して、水はけを良くすることができ、畳表の表面の滑りを抑制できる。また、風呂用敷物が濡れた後に、立てかけておくことにより、容易に乾燥させることができる。
【００１５】
また、請求項５記載の発明によれば、固着手段を、人工い草の方向と直交する方向に配設して、畳表を、発泡プラスチック板の上面に固着したことにより、風呂用敷物の使用中に隣接する人工い草間の隙間が広がることを防止することができる。
【発明を実施するための最良の形態】
【００１６】
本発明を実施するための最良の形態を図に基づいて説明する。
図１乃至図３は、本発明の実施例を示す。
風呂用敷物１の使用時において上側となる方を上側とし、風呂用敷物１の長手方向Ａ−Ｂを横方向とし、短手方向Ｃ−Ｄを縦方向として、以下説明する。
【００１７】
風呂用敷物１は、例えば、浴室内の洗い場に敷いて使用したり、浴室の前室に敷いて使用するものである。
【００１８】
図１乃至図３は、風呂用敷物１を示すもので、該風呂用敷物１は、長方形の芯材２を有し、その上面形状は風呂用敷物１の上面形状と略同形に形成されている。芯材２は、本実施例においては、縦６００ｍｍ×横９００ｍｍ×厚み４ｍｍに形成されている。芯材２としては、後述する締結部材３を芯材２に締結できる部材、形状であればよく、本実施例においては、芯材２として耐水加工を施した木製の板材を使用した。木製の板材に耐水加工を施す方法として、例えば、板材の上面、下面、及び小口を樹脂加工する方法が挙げられる。
【００１９】
芯材２の上面と下面には、発泡プラスチック板４、５、好ましくは、発泡ポリスチレン（ＥＰＳ、いわゆる発泡スチロール）板が接着剤により固着されている。発泡プラスチック板４、５の上面形状は、芯材２の上面形状と略同形に形成されている。芯材２の上側に配設される発泡プラスチック板４は、芯材２の下側に配設される発泡プラスチック板５よりも柔らかく形成されている。本実施例においては、上側の発泡プラスチック板４として、発泡倍率が４５倍の発泡ポリスチレン板を使用し、下側の発泡プラスチック板５として発泡倍率が１２倍の発泡ポリスチレン板を使用した。
【００２０】
発泡プラスチック板４の上面４ａ側には、複数の凹状の溝７が長手方向と直交する方向全長に亘って形成され、その溝７の両端は開口されている。該溝７の幅は、１ｃｍ以下、好ましくは、５ｍｍ〜６ｍｍに設定し、溝７の深さは、任意に設定するが、本実施例においては約５ｍｍに設定されている。溝７、７間の間隔は任意であるが、本実施例においては約２０ｃｍに設定されている。
【００２１】
なお、凹状の溝７を、縦方向全長に亘って形成することが望ましいが、横方向全長に亘って形成してもよいし、縦、横両方全長に亘って形成してもよい。
【００２２】
上側の発泡プラスチック板４の上面には、プラスチック製人工い草１０ａで形成された畳表１０が、発泡プラスチック板４の上面全体に亘って、かつ、人工い草の方向が風呂用敷物１の横方向Ａ−Ｂとなるように配設されている。該畳表１０は、発泡プラスチック板４の上面に固着されている。畳表１０の発泡プラスチック板４への固着方法は、固着手段１１を用いて行う。該固着手段１１を、図１、２に示すように、発泡プラスチック板４と畳表１０間で、かつ、風呂用敷物１の縦方向Ｃ−Ｄ全体（人工い草の方向Ａ−Ｂと直交する方向Ｃ−Ｄ全体）に複数本配設した。固着手段１１として、任意の方法を用いることができ、例えば、両面接着テープ、接着剤を用いることができ、本実施例においては、約５ｃｍ幅の耐水性の両面接着テープを用いた。
なお、図１に示す実施例においては、固着手段１１の本数を３本としたが、任意の本数に設定でき、固着手段１１と１１の間隔も任意に設定する。また、固着手段１１を、発泡プラスチック板４全面に亘って配設し、畳表１０の全面を発泡プラスチック板４へ固着してもよい。
【００２３】
また、発泡プラスチック板４、５及び芯材２の横方向の側部にも、畳表１０が配設されている。プラスチック製人工い草１０ａとして、プラスチックからなる非吸水性のものを用い、たとえば、表面に実質的に細孔を有しないものや、中空糸形状で両端部を熱融着などにより封止し、吸水しにくい構造としたものを用いることができるが、好ましくは、実質的に内部までプラスチックにより中実に形成されて本質的に非吸水性を付与された人工い草を用いる。
【００２４】
風呂用敷物１の長手方向の両縁部には、図１に示すように、畳縁１４が、縦方向全体に亘って配設されている。畳縁１４として、合繊繊維からなる布帛を用いると良い。
【００２５】
前記畳縁１４の取り付け方法について説明する。
先ず、畳縁１４を裏返した状態で、図３に示すように、畳縁１４の一方の側部を畳表１０の長手方向の両縁部にあわせ、かつ、畳縁１４の他方を畳表１０の内側方向に向かうようにして、畳縁１４の前記一方を畳表１０に固着する。本実施例においては、両面テープを用いて固着した。
【００２６】
次に、押さえ板１６を畳縁１４の前記一方の上面に配設し、この押さえ板１６の上部から、締結部材３により畳縁１４の一部と押さえ板１６を芯材２に対して固着する。本実施例においては、押さえ板１６として塩化ビニール製の板を使用した。締結部材３としては、例えば、釘や螺子釘や螺子が挙げられる。
【００２７】
次に、畳縁１４を折り返して、発泡プラスチック板４、５及び芯材２の側部を覆い、畳縁１４の他方の側部を下側の発泡プラスチック板５の下面に対して両面テープなどにより固着する。この他方の端部も、前記のように発泡プラスチック板５の下面に固着させた後に、その他方の端部の下面に押さえ板１６を当て、その下側から締結部材３を用いて、畳縁１４の端部と押さえ板１６を芯材２に対して固着する。
【００２８】
発泡プラスチック板４の下面には、前記ポリエチレン製の布１８が、畳縁１４の下面及び下側の発泡プラスチック５の下面全体に亘って配設され、該ポリエチレン製の布１８は、発泡プラスチック板５の下面に接着剤により固着されている。
【００２９】
なお、前記ポリエチレン製の布１８の代わりに、プラスチック製人工い草で形成された畳表１０を用いても良い。
【００３０】
前記のように、芯材２、発泡プラスチック板４、５、畳表１０、畳縁１４、ポリエチレン製の布１８を配設した後に、上下方向からプレス加工が施されている。これにより、各部材相互間の接着を強固にしている。
【００３１】
前記プレス加工を施した後に、前記布１８の下面には脚２０が締結部材３により、芯材２に対して固設されている。脚２０として、例えば、ゴム等の弾性材料からなる部材を用いる。この脚２０は、適宜間隔で複数個設けられている。なお、該脚２０は、設けなくとも良い。
【００３２】
本発明の風呂用敷物１は、前記のような構造を有するために次のような作用、効果を奏する。
【００３３】
前記のように、畳表１０を上面に配設したことにより、風呂用敷物１の上面形状が凸凹状となり、畳表１０上に水や石鹸等が付着した場合においても、足等の滑りを抑制することができる。また、畳様の外観、感触を付与することができる。
【００３４】
また、芯材２を有することにより、釘や螺子等の締結部材３で、他の構成部材を芯材２に対して、容易に固設することができ、特別な締結装置を用いることなく、風呂用敷物１の製造が容易になる。
【００３５】
発泡プラスチック板４の上面４ａ側に複数の凹状の溝７を形成したことにより、畳表１０を通過した水を容易に排出することができ、水はけが良くなり、畳表１０の表面における足等の滑りを抑制できる。また、風呂用敷物１を使用後に立てかけておくことにより、風呂用敷物１を容易に乾燥させることができる。
【００３６】
また、芯材２の上面と下面に発泡プラスチック板４、５を配設したことにより、芯材２が木製の板材の場合でも、芯材２が反ることを防止できる。
【００３７】
また、固着手段１１を、人工い草の方向と直交する方向に配設して、畳表１０、すなわち、人工い草１０ａを、発泡プラスチック板４の上面に固着したことにより、風呂用敷物１の使用中に隣接する人工い草１０ａ間の隙間が広がることを防止することができる。
【００３８】
また、脚２０を設けた場合、使用時における風呂用敷物１と床等との間の水はけが向上し、使用時における風呂用敷物１の移動を抑制できる。
【図面の簡単な説明】
【００３９】
【図１】本発明の実施例における風呂用敷物の上面図。
【図２】本発明の実施例における風呂用敷物の部分拡大縦断面概略図。
【図３】本発明の実施例における畳縁の畳表への取付け方法を説明する図。
【符号の説明】
【００４０】
１  風呂用敷物
２  芯材
３  締結部材
４、５  プラスチック発泡板
７  凹状の溝
１０  畳表
１０ａ  人工い草
１１  固着手段
【図１】
2008156920.tif 000003
【図２】
2008156920.tif 000004
【図３】
2008156920.tif 000005